(57)【要約】【課題】ホットランナー型を有する射出金型において、ノズルの先端面内を低熱伝導性のチップにより構成して断熱紙を不要とするノズルタッチを可能となす。【解決手段】キャビティ型１の底部に配設したホットランナー型２のニードルノズル２１のノズル２２を、先端面が開口したノズル本体２２ａと、開口部２２ｂに摺動自在に嵌挿してフラットな先端面をノズル本体２２ａの先端面から突出させたノズルチップ４とから構成する。ノズルチップ４をノズル本体２２ａよりも低熱伝導性の金属により形成して、ノズルタッチを断熱紙なしに常時可能に構成する。【選択図】　　図１
2004025812.tif 000002
【特許請求の範囲】
【請求項１】
キャビティ型の底部に設けた注入口の開口周囲をフラット面の凹所に形成し、その凹所にホットランナー型が備えるニードルノズルのノズルを挿入して、キャビティ型にホットランナー型を配設した射出金型において、
上記ノズルを先端面が開口したノズル本体と、開口部に摺動自在に嵌挿してフラットな先端面をノズル本体の先端面から突出させたノズルチップとから構成し、そのノズルチップをノズル本体よりも低熱伝導性の金属により形成して、ノズルタッチを断熱紙なしに常時可能に構成してなることを特徴とするホットランナー型を有する射出金型。
【請求項２】
上記ノズルチップは、先端面中央のノズル孔と接続する内周壁面を、円錐形のニードル先端部と同一角度の円錐面に形成した短筒体からなり、その内周壁面とニードル先端部との嵌合により、閉弁とノズルチップ支持の両方を行う構成からなることを特徴とする請求項１記載のホットランナー型を有する射出金型。
【発明の詳細な説明】
【０００１】
【発明の属する技術分野】
この発明は、ニードルノズルをキャビティの注入口に常時ノズルタッチしたホットランナー型を有する射出金型に関するものである。
【０００２】
【発明が解決しようとする課題】
図３は、プリフォーム成形用のキャビティ型１の下側にホットランナー型２を有する通常構造の射出金型の１例を示すものである。
【０００３】
キャビティ型１は内部に射出コア１１を備え、その射出コア１１の周囲に形成されたキャビティ１２の注入口１３を底部に有する。この注入口１３の開口周囲の底部はフラット面の凹所１４に形成され、その凹所１４に上記ホットランナー型２が備えるニードルノズル２１のノズル２２を挿入して、溶融樹脂をホットランナー型２からキャビティ１２に射出充填できるようにしている。
【０００４】
通常、キャビティ型１は図では省略しているが、複数のキャビティ１２を並列に備え、そのキャビティごとに上記ニードルノズル２１が、横長円柱状のランナーブロック２３から立設してある。ニードルノズル２１は外周囲にバンドヒータ２４を有するノズル筒２５と、その先端に取り付けた先端がフラット面の上記ノズル２２と、ランナーブロック２３を貫通して、ノズル孔まで挿入されたノズル筒内の先端が円錐形のニードル２６と、その下端にピストン２８を連結したノズル開閉用のエア又は油圧作動のシリンダ２７とからなり、ピストン２８の上下作動によりノズル開閉を行う構成からなる。
【０００５】
ホットランナー型２はランナー内の溶融樹脂の温度維持のために常時加熱されており、反対にキャビティ型１は射出充填された溶融樹脂を急速に固化のために常時冷却されている。このためノズル２２をキャビティ型１の注入口１３が開口した底面に直接ノズルタッチさせておくと、注入口１３の周囲の底部がノズル２２により加熱され、注入口内の樹脂の冷却固化が不完全となって、プリフォーム離型時に糸引きや樹脂漏れ等が生じたり、あるいはプリフォーム底部に白化が生じたりする。
【０００６】
このような現象の防止策として、図４に示すように、キャビティ型１の底面とノズル２２の間に断熱紙３を挟み、ノズルタッチを断熱紙３を介して間接的に行うことが採用されている。一般に使用されている断熱紙３は厚さ０．５ｍｍほどのポリアミド系プラスチックで耐熱性を有するが、寿命が短いので定期的な交換が必要とされている。またノズル高さは加工時及び組立時の誤差によりバラツキがあるので、これを調整しなければならず、その調整のために測定、分解、さらには追加加工を要するなどの難しさがあった。
【０００７】
この発明は、上記従来の課題を解決するために考えられたものであって、その目的は、ノズルの先端面内を低熱伝導性のチップにより構成するこによって、断熱紙を不要とするノズルタッチが可能となり、またチップと内部のニードルとの関連によりノズル高さの調整も不要となる新たなホットランナー型を備えた射出金型を提供することにある。
【０００８】
【課題を解決するための手段】
上記目的によるこの発明は、キャビティ型の底部に設けた注入口の開口周囲をフラット面の凹所に形成し、その凹所にホットランナー型が備えるニードルノズルのノズルを挿入して、キャビティ型にホットランナー型を配設した射出金型において、上記ノズルを先端面が開口したノズル本体と、開口部に摺動自在に嵌挿してフラットな先端面をノズル本体の先端面から突出させたノズルチップとから構成し、そのノズルチップをノズル本体よりも低熱伝導性の金属により形成して、ノズルタッチを断熱紙なしに常時可能に構成してなるというものである。
【０００９】
またこの発明の上記ノズルチップは、先端面中央のノズル孔と接続する内周壁面を、円錐形のニードル先端部と同一角度の円錐面に形成した短筒体からなり、その内周壁面とニードル先端部との嵌合により、閉弁とノズルチップ支持の両方を行う構成からなるというものである。
【００１０】
【発明の実施の形態】
図１及び図２は、この発明の要部の１実施形態を示すもので、図３及び図４にに示す従来構造と同一の部分は同一符号を付して示す。
【００１１】
図に示すニードルノズル２１のノズル２２は、先端面が開口したノズル本体２２ａと、開口部２２ｂに嵌挿してフラットな先端面を、ノズル本体２２ａの先端面から少なくとも断熱紙の厚さ以上の高さ（ｈ）に突出したノズルチップ４とからなる。このノズルチップ４はノズル本体２２ａを形成する金型用鋼材よりも低熱伝導性の金属、例えばチタン合金などにより形成した短筒体からなる。
【００１２】
上記ノズルチップ４の先端面中央にはノズル孔４ａが穿設してあり、そのノズル孔４ａに接続する内周壁面４ｂは、ノズル本体２２ａの先端内周壁面２２ｃと共に、円錐形のニードル先端部２６ａと同一角度の円錐面に形成してある。
【００１３】
またノズルチップ４の外径は、微少な摺動クリアランス分だけ上記開口部２２ｂの内径よりも小さく形成してあり、この摺動クリアランスによりノズルチップ４は開口部２２ｂに固定されることなく、ニードル先端部２６ａとの嵌合により支持できるようにしてある。
【００１４】
このようなノズル２２では、ニードル２６の先端部２６ａが開口部２２ｂの中央に位置していることから、ノズルチップ４を開口部２２ｂに嵌挿するだけでよく、図３に示すように、キャビティ型１の下側にホットランナー型２をセットして、凹所１４にノズル２２を挿入したのち、シリンダ２７の作動によりピストン２８と一緒にニードル２６を押し上げると、ノズルチップ４のフラットな先端がが注入口１３の開口周囲のフラット面に接触して直接ノズルタッチするようになる。
【００１５】
この際、ノズルチップ４はキャビティ型側に接するまでニードル２６に押圧されて開口部内を摺動するので、加工時及び組立時の誤差により、ホットランナー型２が備える複数のニードルノズル２１に高さのバラツキがあっても、そのバラツキに応じてノズルチップ４はノズル本体２２ａの先端面から突出するので、これまでのような高さ調整が不要となる。
【００１６】
また溶融樹脂の射出充填時に、ニードル２６が降下して先端部２６ａがノズルチップ４から離れても、ノズルチップ４の内周壁面が樹脂の射出圧力により押圧されるのでノズルタッチはそのまま維持される。要するにノズルチップ４はニードル２６に加えられた押圧力と射出圧力とを交互に受けて、ノズルタッチを維持するということであり、ノズルチップ４がノズル本体２２ａの開口部２２ｂに摺動自在に嵌挿されただけのものであっても、ノズルタッチ力は緩みなくその状態を保つて、樹脂漏れを防止するというこである。
【００１７】
またノズル本体２２ａの先端面と、注入口１３の開口周囲のキャビティ型底面との間には、ノズル先端面から突出したノズルチップ４によってエアギャップが生ずる。このエアギャップとノズルチップ４の低熱伝導性とによって、ニードルノズル２１からキャビティ側への熱伝導が著しく低減し、これまでに用いられていた断熱紙が不要となる。
【００１８】
しかも、低熱伝導性の金属によるノズルチップ４は、耐熱性プラスチックの断熱紙とは比較にならぬほどの耐久性を有することから、定期的に交換する必要がなく、また通常に使用されている金属材料よりも高価で、加工の難しい金属であっても、ノズル２２の一部に使用するだけで済み、構造も単純で加工も容易に行えるので、経済的な効果をも有する。
【図面の簡単な説明】
【図１】この発明に係わるホットランナー型を有する射出金型の要部縦断面図である。
【図２】同上のノズル先端部の側面図ある。
【図３】通常構造のホットランナー型を有する射出金型の縦断面図である。
【図４】同上のノズルタッチ部分の縦断面図である。
【符号の説明】
１　　キャビティ型
２　　ホットランナー型
４　　ノズルチップ
４ａ　ノズル孔
４ｂ　内周壁面
１２　　キャビティ
１３　　注入口
１４　　凹所
２１　　ニードルノズル
２２　　ノズル
２２ａ　ノズル本体
２２ｂ　開口部
２２ｃ　先端内周壁面
２６　　ニードル
２６ａ　先端部
【図１】
2004025812.tif 000003
【図２】
2004025812.tif 000004
【図３】
2004025812.tif 000005
【図４】
2004025812.tif 000006